(57)【要約】      （修正有）【課題】ヘアトリートメントを行う際に、頭部を保温してより良いヘアトリートメント効果を得るためのヘアトリートメント補助具を提供する。【解決手段】ヘアトリートメント剤を塗った頭部を、下辺に非通水性で厚みを有する帯状部３を備えた非通水性の略三角形のシート２で隙間を作らないように包み、体温の放散を防いで保温して、トリートメント剤の頭髪への浸透を促進する。また、略三角形シート２の下辺の非通水性で厚みを有する帯状部３を、頭髪の生え際に緊張状態に巻き締めて装着することにより、トリートメント剤が洩れて首や顔に垂れてくるのを防ぐ。【選択図】図２
2012050774.tif 000002
【特許請求の範囲】
【請求項１】
首筋から頭髪の生え際に沿って巻きつけて頭部を被う略三角形のシートであって、非通水性の略三角形シート２の下辺は、頭髪の生え際に巻き締める帯状部３となし、前記シート２上方の斜辺縁部内面には係着部６を設け、前記帯状部３の両端は相互に着脱自在に係着される着脱部４，４′を備え、前記係着部６は前記帯状部３の額周辺６′に着脱自在に係着することを特徴とするヘアトリートメント用補助具。
【請求項２】
前記帯状部３は、非通水性で前記シート２より厚みを有するように構成したことを特徴とする請求項１記載のヘアトリートメント用補助具。
【請求項３】
前記帯状部３の少なくとも一方端は、シート２よりも外方に突出した突出部５をもつことを特徴とする請求項１または請求項２記載のヘアトリートメント用補助具。
【発明の詳細な説明】
【技術分野】
【０００１】
本発明は、ヘアトリートメントを行う際に適した補助具に関する。
【背景技術】
【０００２】
ヘアトリートメントは、ヘアトリートメント剤を頭髪に塗った後、頭部を温めた状
態でしばらく時間をおくと、ヘアトリートメント剤の頭髪への浸透が進み、よりよいトリートメント効果を得ることができる。頭部を保温状態に保ち、さらに、トリートメント剤が首や顔に流れ出る不具合を防ぎ、一般家庭でも手軽にトリートメント効果を得ることのできる補助具が望まれている。
【先行技術文献】
【特許文献】
【０００３】
【特許文献１】特開２００２−１７４２８公報
【特許文献２】特開平１０−１５５５３７公報
【特許文献３】特開平９−９８９０２公報
【特許文献４】特開平９−１５４６２２公報  特許文献１では、非透水性の略筒状シート１で、シート１の上辺２にゴム紐６を通し、下辺３は斜め状とし、上辺２のゴム紐６部で頭に装着し、長辺となる右縁部５は、毛染めの際は肩を覆うケープとなり、毛染め後には、折り曲げて保温のためにヘアキャップ状とする毛染め用カバーが提案されている。
【０００４】
特許文献２では、タオル地または、防水性合成樹脂フィルムなどからなる、頭を被うための略三角形のシート材２と、該シート材２の底辺縁２aに着脱可能に接続された紐部材３からなり、シート材２の底辺縁２aを頭髪の生え際に沿って巻き回して頭を被った後、底辺縁２aに重なるように紐部材３を緊張状態に巻き回して端部４２を該シート材２の底辺こめかみ周辺に固着したボタン５に止着してシート材２を頭に固定し、略三角形のシート材２の斜辺縁２ｄを額周辺の紐部材３の内側に折り入れて留める多目的ターバンが提案されている。
【０００５】
特許文献３では、三角形状生地１で形成した頭髪を被うための湯上りターバン１で、ターバン１の底辺２の首筋に当たる部分にゴム帯を縫着してギャザー部５を形成した湯上りターバン１が提案されている。
【０００６】
特許文献４では、環状の装着部５を備えたベレー帽状のキャップ本体１と、キャップ本体１の後部に連続する筒状の髪受け部２よりなり、環状の装着部５はタオル地を輪型に形成して縫着したもので、その輪型のタオル地内部にはゴム材を通して伸縮自在に形成された、タオル地を素材とした湯あがりキャップが提案されている。  
【発明の概要】
【発明が解決しようとする課題】
【０００７】
上述した特許文献１の毛染め用カバー１は、毛染め後には肩を覆うケープとして使用した略筒状シート１の下辺３部を折り曲げてホック、面ファスナー等の止め具７〜１０で固定、あるいは下辺３に沿って周囲に通した紐１１を絞って頭部上方でまとめ、ヘアキャップ状とする。
【０００８】
しかしながら、略筒状のシート１のケープとした下辺３部を上記の要領でキャップ状としても、シート１の頭部への密着度が弱く、また、密閉性もないので保温の効果は低いものである。
【０００９】
さらに、略筒状シート１の上辺２を折り曲げてゴム紐６を通した部分を頭に装着するが、ゴム紐６を通した部分においては、頭囲のサイズより余る分の略筒状シート１は、ゴム紐６の弾力によりギャザー状となり、頭と接する部分では凹凸を形成して密着しない部分が生じ、頭髪に付着させた液剤が顔や首に洩れ出る恐れがある。
【００１０】
特許文献２の多目的ターバンは、略三角形のシート材２を頭部に巻き回した後、さらに、該シート材２の底辺縁２aに繋がる紐部材３を引っ張って緊張状態にしながら頭の周りに巻き回して端部４２をボタン５止着する装着法であるため、装着に手間が掛かり、紐部材３を巻く折には緊張状態になるように引っ張るので、先に頭に巻いた略三角形のシート材２が解けたりして、装着し難い不便がある。
【００１１】
さらに、、略三角形のシート材２の斜辺縁２ｄは、額周辺の紐部材３の内側に折り入れて留めるが、緊張状態に巻き締めた紐部材３の内側にシート材２の斜辺縁２ｄを折り入れるのは骨が折れる。  
【００１２】
特許文献３は、首筋に当たる部分にゴム帯を縫着してギャザー部５を設けることにより頭に沿い易くし、シャンプー後に長い髪でも乾燥し易いような工夫のなされたの湯上りターバン１であり、頭部を保温する効果はない。
【００１３】
特許文献４は、内部にゴム材を通した装着部５も、ベレー帽状のキャップ本体１と、キャップ本体１に連続する筒状の髪受け部２も、タオル地を素材とした湯あがりキャップであり、頭髪が蒸れずに乾燥しやすくすることを目的としたもので、頭髪に付く液剤を漏らさず、頭部を密包し保温状態を保つ効果はない。
【００１４】
本発明は、非通水性で厚みを有する帯状部３を頭髪の生え際に緊張状態に装着して肌に密着させ、シート２で頭部をほぼ密包状態にすることにより体温の放散を防いで、トリートメント剤が頭髪に満遍なく行き渡るのを助け、トリートメント剤の頭髪への浸透を促進し、さらにヘアトリートメント中に液剤が顔や首に洩れて出るのを防ぐ機能を備えたヘアトリートメント用補助具を提供することを課題とする。
【００１５】
また、着脱が簡単で、しかも使用後は洗い易くて乾き易い等、清潔に保つための取り扱いが手軽であることをも課題とする。
【課題を解決するための手段】
【００１６】
本発明は上記した課題を解決するためになされたものであり、請求項１記載のヘアト
リートメント用補助具１は、首筋から頭髪の生え際に沿って巻きつけて頭部を被う略三
角形のシートであって、非通水性の略三角形シート２の下辺は、頭髪の生え際に巻き締
める帯状部３となし、前記シート２上方の斜辺縁部内面には係着部６を設け、前記帯状
部３の両端は相互に着脱自在に係着される着脱部４，４′を備え、前記係着部６は前記
帯状部３の額周辺６′に着脱自在に係着することを特徴とする。
【００１７】
また、前記帯状部３は、非通水性で前記シート２より厚みを有するように構成したことを特徴とする。
【００１８】
また、前記帯状部３の少なくとも一方端は、シート２よりも外方に突出した突出部５をもつことを特徴とする。
【発明の効果】
【００１９】
本発明のヘアトリートメント用補助具１は、シート２下辺の帯状部３を頭髪の生え際に緊張状態に巻き締め互いの両端４，４′を係着すると、シート２の左右斜辺部も交差して重なり合い頭部に密着する。その後、シート２の上方を頭に沿わせて、斜辺縁部を額側に倒し、弛みができないように帯状部３の係着部６′に係着すると、シート２で頭部をほぼ密包することが可能である。
【００２０】
これにより、ヘアトリートメント剤が頭髪全体によくいき渡り、体温が放散しないのでシート２内部に熱が篭り、ヘアトリートメント剤成分の浸透が促される。また、シート２下辺の帯状部３は非通水性で厚みを有するので、緊張状態に巻き締めて両端を係着すると、系着部の範囲を広く設けているので夫々の頭囲のサイズに対応して頭髪の生え際周りに密着し、ヘアトリートメント剤はここで堰き止められるので、首や顔に流れ出てこない。
【００２１】
顔や首に液剤が垂れて流れ落ちないので、寒い時期は浴槽に浸かりながらヘアトリートメントの時間を過ごすことができる。また、洗面所等で着衣のまま洗髪する際も、手軽にヘアトリートメントを行うことができる。
【００２２】
効率よくヘアトリートメント効果を得ることができるので、ヘアトリートメント剤の消費量を減らすことができる。
【００２３】
また、本発明のヘアトリートメント用補助具は夫々の係着部を外せば平らなシート状となるので、使用後は洗い易く全体が乾燥し易いので取り扱いが簡単で清潔に保ち易い。
【図面の簡単な説明】
【００２４】
【図１】ヘアトリートメント用補助具内面の全体図である。
【図２】ヘアトリートメント用補助具内面の全体図の一端部を折り返した図である。
【図３】ヘアトリートメント用補助具内面の全体図の一端部を折り返した図である。
【図４】ヘアトリートメント用補助具に、シート２の補強部材８を設けた図で、（a）平面状補強材、（b）テープ状補強材、（C）網状補強材を表わす。
【図５】ヘアトリートメント用補助具の着用図で、（a）帯状部３を頭に巻いて両端を係着し、シート２を頭に沿わせたところを表し、（ｂ）シート２の係着部６を帯状部３に設けた係着部６′に係着して着用し終えたところを表す。
【発明を実施するための形態】
【００２５】
本発明のヘアトリートメント用補助具１を図１〜３に基づいて説明する。図１はヘアトリートメント用補助具内面の全体図を表し、図２、３はヘアトリートメント用補助具１内面全体の一端部を折り返したものを表す。ヘアトリートメント用補助具はシート２と、シート２の下辺の帯状部３から構成する。
【００２６】
前記シート２は、非通水性で上下の最大幅約３８ｃｍの略三角形とし、シート２上方の斜辺縁部内面には額周辺の帯状部３に係着する係着部６を設ける。
【００２７】
帯状部３の長さは約6３ｃｍ、幅は約２ｃｍとし、両端には相互に着脱自在に係着される着脱部４、４′を備えており、額周辺にはシート２の係着部６と係着する係着部６′を備える。また、帯状部３はシート２より厚みを有して非通水性とする。
【００２８】
突出部５には、係着部材を設けないようにすると突出部５が帯状部３から浮いた状態となり、指で持ちやすく着脱時に便利である。また、突出部５を輪状としたり穴を設けると乾燥時に掛けるのに役立つ。
【００２９】
シート２や帯状部３の係着部は、対応する一方の係着部の範囲を広く設けて、頭のサイズの大小や頭髪量の多寡に対応して調節できるようにする。シート２の頭部への密着度を高めるために、シート２の左右斜辺部にも係着部７、７′を設けてもよい。
【００３０】
シート部材２は０,１〜２ｍｍくらいの厚さが適しており、しなやかさがあって頭の形に沿い易いものでなければならない。非通水性の合成樹脂製シートが適している。独立気泡性のシートや、シート内側にアルミ蒸着を施した素材、または、独立気泡性のシートの内側にアルミ蒸着を施した素材を用いると一層保温性が向上して好ましい。
【００３１】
帯状部３の素材は非通水性で、ある程度の厚みがあり、頭周りに緊張状態に巻き締めて頭囲に隙間なくぴったりと固定される強度を要する。少なくとも２ｍｍ程度の厚みがあり、合成樹脂製で独立気泡性の素材であれば柔軟で強度もあり水を吸収することもなく、肌に当たるとき冷たく感じることもないので好ましい。
【００３２】
シート２と帯状部３に設ける係着部材は面ファスナーが適当である。
【００３３】
略三角形シート２の頭部への密着する度合いを高めるために、シート２にシートを補強するための部材８を設けても良い。補強部材は平面、または、テープ状、または網状であってもよく、補強部材の全面がシート２に接着していても、または、部分的に接着していてもよい。
【００３４】
使用法は、ヘアトリートメント剤を頭髪に塗った後、前屈みになり頭を垂らして帯状部３の左右中央部を首筋の頭髪の生え際に当て、生え際を辿りながら巻き締めて両端の着脱部４、４′で係着する。その後頭を起こし、頭髪を頭上にまとめてシート２で隙間が出来ないように頭を包み、シート２の係着部６を帯状部３の係着部６′に係着する。                                      
【符号の説明】
【００３５】
１        ヘアトリートメント用補助具
２        シート
３        帯状部
４、４′  帯状部の着脱部
５        帯状部の突出部
６、６′  係着部
７、７′  係着部
８        補強部材
【図１】
2012050774.tif 000003
【図２】
2012050774.tif 000004
【図３】
2012050774.tif 000005
【図４】
2012050774.tif 000006
【図５】
2012050774.tif 000007